【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】    
【請求項１】  底壁を有する載置部が設けられた本体と、
上記載置部の底壁の上に載置される入力手段と、
上記底壁の内面に取り付けられ、上記載置部を上記本体の内側から補強する補強板と、を具備し、
上記補強板は、枠部と、この枠部によって囲まれる複数の連結部とを有し、上記連結部は、上記補強板の重心を通る線に沿って設けられるとともに、上記連結部と上記枠部との間に複数の開口部が形成されていることを特徴とする電子機器。
【請求項２】  請求項１の記載において、上記載置部の底壁は、上記入力手段と上記補強板との間に位置することを特徴とする電子機器。
【請求項３】  請求項１又は請求項２の記載において、上記入力装置はキーボードであり、このキーボードは、上記底壁の上に載置されるキーボード本体と、このキーボード本体に設けられる複数のキーとを有することを特徴とする電子機器。
【請求項４】  請求項１の記載において、上記補強板の開口部は、上記補強板の重心に対し放射状に配置されていることを特徴とする電子機器。
【請求項５】  請求項１の記載において、上記補強板の開口部は、上記補強板の重心を囲むように配置されていることを特徴とする電子機器。
【請求項６】  請求項１の記載において、上記本体はディスクドライブを収容しており、上記補強板は上記ディスクドイライブと向かい合うとともに、これら補強板とディスクドライブとの間に間隙が設けられていることを特徴とする電子機器。
【請求項７】  請求項１の記載において、上記本体は合成樹脂製であり、上記補強板は金属製であることを特徴とする電子機器。
【手続補正２】
【補正対象書類名】明細書
【補正対象項目名】００１１
【補正方法】変更
【補正の内容】
【００１１】
【課題を解決するための手段】
上記目的を達成するため、本発明の一つの形態に係る電子機器は、
底壁を有する載置部が設けられた本体と、
上記載置部の底壁の上に載置される入力手段と、
上記底壁の内面に取り付けられ、上記載置部を上記本体の内側から補強する補強板と、を具備している。
上記補強板は、枠部と、この枠部によって囲まれる複数の連結部とを有し、上記連結部は、上記補強板の重心を通る線に沿って設けられるとともに、上記連結部と上記枠部との間に複数の開口部が形成されていることを特徴としている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
このような構成によれば、補強板を軽量化しつつ、この補強板の剛性を確保できる。このため、本体の載置部をしっかりと補強でき、入力手段を操作した時の底壁の撓みを防止できる。
【手続補正１２】
【補正対象書類名】明細書
【補正対象項目名】００２１
【補正方法】変更
【補正の内容】
【００２１】
【発明の実施の形態】
以下本発明に係る実施の形態を、図面を参照して説明する。
図１は、電子機器の斜視図である。ノート型コンピュータ等の電子機器１は本体２を有している。本体２にはヒンジ部３を介して表示部４が回動可能に接続されている。表示部４には表示パネル５が内蔵されており、この表示パネル５が表示部４の前面に露出されている。本体２の側面２ａには光ディスクドライブ７が収容されている。
本体２は合成樹脂製の下ケース８と、この下ケース８に接続される合成樹脂製の上ケース９とを有している。上ケース９の上面中央にはキーボード載置部１４が設けられる。なお、光ディスクドライブ７の代わりにハードディスクドライブ、電池パック、回路基板等の他の機能部品を収容してもよい。
【手続補正１３】
【補正対象書類名】明細書
【補正対象項目名】００２９
【補正方法】変更
【補正の内容】
【００２９】
キーボード載置部１４の底壁１４ｅの内面１４ｈには、両面テープや接着剤等の貼付部材を介して補強板２０が貼り付けられる。補強板２０の下方には間隙Ｌを存して光ディスクドライブ７が収容されている。なお、本実施の形態においては、補強板２０を底壁１４ｅの一部分にのみ貼り付けているが、底壁１４ｅの内面全面に貼り付けても良い。
【手続補正１４】
【補正対象書類名】明細書
【補正対象項目名】００３０
【補正方法】変更
【補正の内容】
【００３０】
このような構成により、キーボード６からの打鍵による押下げ力は底壁１４ｅに伝わり、この底壁１４ｅの撓みを補強板２０により抑えている。
【手続補正１５】
【補正対象書類名】明細書
【補正対象項目名】００３１
【補正方法】変更
【補正の内容】
【００３１】
次に補強板２０について詳述する。図４は、第１の実施の形態に係る補強板２０の平面図である。図４に示すように、補強板２０は、外観がほぼ四角形状の平たい板状に形成され、アルミニウム等の金属材料により構成されている。
【手続補正１６】
【補正対象書類名】明細書
【補正対象項目名】００３２
【補正方法】変更
【補正の内容】
【００３２】
補強板２０には複数の開口部が設けられている。開口部は２列に配置されており、第１の開口列Ａは、第１の開口部２１、第２の開口部２２、第３の開口部２３、第４の開口部２４により構成されている。隣り合う第２の開口列Ｂは、第５の開口部２５、第６の開口部２６、第７の開口部２７、第８の開口部２８により構成されている。第１乃至第８の開口部２１乃至２８は略四角形状を成しているが、一部の開口部は補強板２０の外形の変化に応じて６角形状になっている。
【手続補正１７】
【補正対象書類名】明細書
【補正対象項目名】００３４
【補正方法】変更
【補正の内容】
【００３４】
第１の開口列Ａと第２の開口列Ｂとの間には、第１の枠部２０ａと第２の枠部２０ｂとを連結する第１の連結部２０ｅが形成されている。この第１の連結部２０ｅは補強板２０の重心Ｇを通る線Ｃ上に設けられる。また、補強板２０は、第１の連結部２０ｅと第４の枠部２０ｄとを連結する第２の連結部２０ｆ、第３の連結部２０ｇ、第４の連結部２０ｈを有している。すなわち、これら第１乃至第４の連結部２０ｅ乃至２０ｈおよび第１の枠部２０ａ、第２の枠部２０ｂ、第４の枠部２０ｄにより第１乃至第４の開口部２１乃至２４が形成されている。同様に第２の開口列Ｂを形成する第５乃至第８の開口部２５乃至２８は、第１の連結部２０ｅと、第１の枠部２０ａと、第２の枠部２０ｂと、第３の枠部２０ｃと、第１の連結部２０ｅと第３の枠部２０ｃとを連結する第５乃至第７の連結部２０ｉ，２０Ｊ，２０ｋにより形成される。
【手続補正１８】
【補正対象書類名】明細書
【補正対象項目名】００３５
【補正方法】変更
【補正の内容】
【００３５】
第１の連結部２０ｅは幅Ｌ８を有している。すなわち、第１の開口列Ａと第２の開口列Ｂとの間は第１の連結部２０ｅの幅Ｌ８となる。第１の枠部２０ａ、第２の枠部２０ｂ、第４の枠部２０ｄは、それぞれ幅Ｌ１，Ｌ５（Ｌ６），Ｌ７を有している。そして、これら幅Ｌ１，Ｌ５（Ｌ６），Ｌ７は同じ幅に形成されている。さらに、第２乃至第４の連結部２０ｆ，２０ｇ，２０ｈは、それぞれ幅Ｌ２，Ｌ３，Ｌ４を有している。そして、これら幅Ｌ２，Ｌ３，Ｌ４は、Ｌ１，Ｌ５（Ｌ６），Ｌ７と同じ幅になっている。さらには、第１の連結部２０ｅの幅Ｌ８もＬ１乃至Ｌ７と同じ幅に形成されている。
【手続補正１９】
【補正対象書類名】明細書
【補正対象項目名】００３６
【補正方法】変更
【補正の内容】
【００３６】
すなわち、第１乃至第４の開口部２１乃至２４は、それぞれ第２乃至第４の連結部２０ｆ，２０ｇ，２０ｈの幅Ｌ２，Ｌ３，Ｌ４を存して互いに均等間隔で配置されている。また、補強板２０は第１の縁部２０Ｉ、第１の縁部２０Ｉと対向する第２の縁部２０ｍ、第１の縁部２０Ｉと第２の縁部２０ｍを結ぶ第３の縁部２０ｎを有している。第１の開口部２１と第１の縁部２０Ｉと間は第１の枠部２０ａの幅Ｌ１となる。同様に第４の開口部２４と第２の縁部２０ｍとの間は第２の枠部２０ｂの幅Ｌ５（Ｌ６）となる。さらに、第１乃至第４の開口部２１乃至２４と第３の縁部２０ｎとの間は第４の枠部２０ｄの幅Ｌ７となる。
【手続補正２０】
【補正対象書類名】明細書
【補正対象項目名】００３７
【補正方法】変更
【補正の内容】
【００３７】
したがって、第１乃至第４の開口部２１乃至２４は、第１の開口列Ａの範囲内だけではなく、第１の縁部２０Ｉ、第２の縁部２０ｍ、第３の縁部２０ｎ、第１の連結部２０ｅにて囲まれる範囲内で均等間隔で配置されていることになる。説明を省略するが、第２の開口列Ｂの第５乃至第７の開口部２０ｉ乃至２０ｋも同様に均等間隔に配置される。
【手続補正２１】
【補正対象書類名】明細書
【補正対象項目名】００３８
【補正方法】変更
【補正の内容】
【００３８】
一般的には、キーボード６への打鍵による応力は、補強板２０の中心部分に最も加わる。本実施の形態に係る補強板２０は、重心Ｇを通る線Ｃ上に第１の連結部２０ｅを設けており、この第１の連結部２０ｅを挟んで第１および第２の開口列Ａ，Ｂを配置している。このため、補強板２０の剛性を確保しつつ、軽量化を行うことが可能となっている。よって、補強板２０の下方に位置する光ディスクドライブ７へのキーボード６の打鍵力による影響を押さえることができる。
【手続補正２２】
【補正対象書類名】明細書
【補正対象項目名】００４１
【補正方法】変更
【補正の内容】
【００４１】
補強板３０には枠部３０ａ，３０ｂ，３０ｃ，３０ｄが設けられる。これら枠部３０ａ，３０ｂ，３０ｃ，３０ｄは補強板３０の外観に沿って設けられる。枠部３０ａ，３０ｂは補強板３０の互いに対向する辺に設けられ、枠部３０ｃ，３０ｄは補強板３０の互いに対向する辺に設けられる。補強板３０の重心位置には中央部３０ｍが設けられる。枠部３０ａと枠部３０ｄとで角部３９が形成される。同様に枠部３０ｂ，３０ｄにて角部４０が、枠部３０ｂ，３０ｃにて角部４１が、枠部３０ｃ，３０ａにて角部４２がそれぞれ形成される。中央部３０ｍと角部３９との間には互いを連結する第１の連結部３０ｅが形成される。中央部３０ｍと枠部３０ａとの間には互いを連結する第２の連結部３０ｆが設けられる。同様に中央部３０ｍと角部４２との間に第３の連結部３０ｇが、中央部３０ｍと枠部３０ｃとの間に第４の連結部３０ｈが、中央部３０ｍと角部４１との間に第５の連結部３０ｉが、中央部３０ｍと枠部３０ｂとの間に第６の連結部３０ｊが、中央部３０ｍと角部４０との間に第７の連結部３０ｋが、中央部３０ｍと枠部３０ｄとの間に第８の連結部３０Ｉが、それぞれ形成される。
なお、これら枠部３０ａ乃至３０ｄ、連結部３０ｅ乃至３０Ｉ、中央部３０ｍは一体形成される。第１乃至第８の連結部３０ｅ乃至３０Ｉは、中央部３０ｍを中心に放射状に配置されており、第２の連結部３０ｆと中央部３０ｍと第６の連結部３０ｊは、補強板３０の重心Ｇを通る線Ｃ´に沿うように略一直線状に配置されている。また、補強板３０の重心Ｇは中央部３０ｍに存在している。
【手続補正２３】
【補正対象書類名】明細書
【補正対象項目名】００４２
【補正方法】変更
【補正の内容】
【００４２】
枠部３０ａは幅Ｌ１２を有している。同様に枠部３０ｄは幅Ｌ９を有している。これら幅Ｌ１２およびＬ９は同じ大きさとなっている。同様に枠部３０ｂ、３０ｃも幅Ｌ９（Ｌ１２）を有している。つまり補強板３０は縁部において幅Ｌ９（Ｌ１２）の大きさの枠部にて囲まれるような形状となる。第１の連結部３０ｅは幅Ｌ１１を有している。同様に第８の連結部３０Ｉは幅Ｌ１０を有している。これら幅Ｌ１０とＬ１１とは同じ大きさとなっている。同様に第２乃至第７の連結部３０ｆ乃至３０ｋも幅Ｌ１０（Ｌ１１）を有しており、第１乃至第８の連結部３０ｅ乃至３０Ｉはいずれも同じ大きさに形成されている。さらに枠部３０ａ乃至３０ｄの幅Ｌ９（Ｌ１２）は、第１乃至第８の連結部３０ｅ乃至３０Ｉの幅Ｌ１０（Ｌ１１）と同じ大きさに形成されている。
【手続補正２４】
【補正対象書類名】明細書
【補正対象項目名】００４４
【補正方法】変更
【補正の内容】
【００４４】
上述した通り、枠部３０ａ乃至３０ｄ、第１乃至第８の連結部３０ｅ乃至３０Ｉとは同じ幅に形成されているため、第１乃至第８の開口部３１乃至３８は均等間隔で中央部３０ｍを中心に放射状に設けられている。第１の実施の形態に係る補強板２０と同様に、各開口部３１乃至３８の開口縁部には、補強板３０の裏面より突出する突出部が形成されている。なお、これら突出部は図５に示す突出部２１ｂ，２１ｃと同様に形成されるため、図示していない。
また、第２の実施の形態においては、線Ｃ´に沿って第２、第６の連結部３０ｆ，３０ｊおよび中央部３０ｍが配置されており、更に中央部３０ｍが広く形成されるため、補強板３０の中央部分の剛性は第１の実施の形態に係る補強板２０よりも高い。したがって、第２の実施の形態に係る補強板３０はより剛性を高く保持しつつ、軽量化を行うことが可能である。また、補強板３０よりも下方に位置する光ディスクドライブ７等への影響をより押さえることが可能である。
なお、本実施の形態においても第１の実施の形態と同様に、補強板３０をキーボード載置部１４の底壁１４ｅの内面１４ｈに両面テープや接着剤等の取り付け部材を介して取り付けられている。
【手続補正２５】
【補正対象書類名】明細書
【補正対象項目名】００４８
【補正方法】変更
【補正の内容】
【００４８】
補強板４０の上面にはキーボード６が載置される。キーボード６は、前端縁６ｄとこの前端縁６ｄとは反対側に位置する後端縁６ｅとを有している。キーボード６をキーボード載置部１４に載置する際には、まず前端縁６ｄをキーボード載置部６の前縁に形成される係合部１５ｅに係合させる。係合部１５ｅは上ケース９と第１のカバー１０の縁部１０ａとで形成される。キーボード６の前端縁６ｄを係合部１５ｅに斜めに係合させた状態でキーボード６の後端縁６ｅをキーボード載置部１４の方向に回転させ、キーボード載置部１４上に載置する。
次に、キーボード６の後端縁６ｅをキーボード載置部１４に形成されている係合部１５ｄに係合させ、第２のカバー１２を上ケース９に結合する。第２のカバー１２は上ケース９と協同して係合部１５ｄを形成する縁部１２ａを有している。キーボード６の後端縁６ｅは上ケース９と第２のカバー１２の縁部１２ａにより挟まれる状態となる。なお、第２のカバー１２を上ケース９に結合する前にキーボード６の後端縁６ｅを上ケース９にネジ止めしても良いし、単に第２のカバー１２で上ケース９との間に挟む構造としても良い。
【手続補正２６】
【補正対象書類名】明細書
【補正対象項目名】００５０
【補正方法】変更
【補正の内容】
【００５０】
図８は、第４の実施の形態に係る補強板および電子機器の断面図である。第４の実施の形態においては、パームレストを形成する第１のカバー１０の内面１０ｃに補強板５０を両面テープあるいは接着剤等の取付手段により取り付けている。補強板５０の開口部の形状等は、第１、第２の実施の形態にて説明した補強板２０，３０と同じで良い。
本実施の形態の電子機器の上ケース９の上面には、回路基板やポインティングデバイスユニット等の機能部品７０が実装されており、第１のカバー１０で覆われている。また、本体２の内部には電池パック等の機能部品６０が内蔵されている。パームレストとなる第１のカバー１０は、キーボード打鍵時にユーザーの掌が置かれる場所であるため、打鍵力以上の応力が加わる場合もある。このような構造とすることで、第１のカバー１０の撓みを最小限に押さえることができ、機能部品６０，７０等への影響を押さえることができる。
【手続補正２７】
【補正対象書類名】明細書
【補正対象項目名】００５４
【補正方法】変更
【補正の内容】
【００５４】
【発明の効果】
以上詳述した本発明によれば、補強板を軽量化しつつ、この補強板の剛性を確保できるので、本体の載置部をしっかりと補強でき、入力手段を操作した時の底壁の撓みを防止することができる。